(57)【要約】【課題】様々な構成の注出筒に適用させることができ、しかも、その着脱が容易な再利用栓を備える薄肉注出容器を提供する。【解決手段】本発明の薄肉容器１は、容器本体２の一部としてその胴部２ａから突出して当該胴部２ａの内側に形成された内部空間Ｒに通じる通路Ｐを形成する注出筒２ｂを有し、当該注出筒２ｂの先端開口２ｃを封止する栓体３が破断予定線４を介して分離可能に一体に連結されてなり、栓体３は、破断予定線４からの分離に際して用いられる把手部５を有し、この把手部５に、注出筒２ｂの先端開口２ｃから着脱可能に差し込まれる再利用栓６を備える。【選択図】図３
2010105706.tif 000002
【特許請求の範囲】
【請求項１】
容器本体の一部として当該容器本体の胴部から突出する注出筒を有し、当該注出筒の先端開口を封止する栓体が破断予定線を介して分離可能に一体に連結されてなる薄肉注出容器であって、
栓体は、破断予定線からの分離に際して用いられる把手部を有し、
当該把手部に、注出筒の先端開口から着脱可能に差し込まれる再利用栓を備えてなることを特徴とする薄肉注出容器。
【請求項２】
請求項１において、容器本体に、この容器本体を側面から見たときの当該容器本体の稜線に沿って補強部を延在させ、当該補強部のうちの、注出筒の直近に、栓体を分離する際に用いる補助把手部を備えたことを特徴とする薄肉注出容器。
【発明の詳細な説明】
【技術分野】
【０００１】
本発明は、容器本体の胴部から突出する注出筒に破断予定線を介して栓体を設け、当該栓体を分離することで注出筒の先端開口からの内容物を注出可能とする薄肉注出容器であって、その先端開口を分離した栓体を用いて閉じるための技術に関するものである。
【背景技術】
【０００２】
本願出願人は既に、注出筒から分離した栓体を利用して当該注出筒の先端開口を封止するものとして、栓体に係合片を設け、この栓体を再利用栓として用いることで、当該栓体及び係合片で注出筒の先端をクリップするものを提案済みである（例えば、特許文献１参照。）
【特許文献１】特開２００５−３１３９８６号公報
【発明の開示】
【発明が解決しようとする課題】
【０００３】
しかしながら、こうした従来の再利用栓は、重ね合わせた合成樹脂製のフィルム（シート）を押し開くことで注出筒を形成する構成の場合には有効であるが、スパウトのように注出筒が予め形成されている場合には、必ずしも注出筒にクリップできないときがあり、また、かかる構成では、注出筒や係合片を折り曲げることでクリップしなければならないという煩雑さがあった。
【０００４】
本発明は、こうした事実認識に基づいてなされたものであり、その目的とするところは、様々な構成の注出筒に適用させることができ、しかも、その着脱が容易な再利用栓を備える薄肉注出容器を提供することにある。
【課題を解決するための手段】
【０００５】
本発明である、薄肉注出容器は、容器本体の一部として当該容器本体の胴部から突出する注出筒を有し、当該注出筒の先端開口を封止する栓体が破断予定線を介して分離可能に一体に連結されてなる薄肉注出容器であって、
栓体は、破断予定線からの分離に際して用いられる把手部を有し、
当該把手部に、注出筒の先端開口から着脱可能に差し込まれる再利用栓を備えてなることを特徴とするものである。
【０００６】
本発明において、容器本体は、合成樹脂製のフィルムからなるパウチ容器は勿論、薄肉のブロー成形容器も含む。
【０００７】
本発明において、容器本体に、この容器本体を側面から見たときの当該容器本体の稜線に沿って補強部を延在させ、当該補強部のうちの、注出筒の直近に、栓体を分離するための補助摘み部を設けることができる。更に、補助把手部には、指掛け用の開口を形成することができる。
【発明の効果】
【０００８】
本発明によれば、栓体を注出筒から分離する際に用いる摘み部に、注出筒の先端開口から着脱可能に差し込まれる再利用栓を設けたことから、注出筒が予め保形性を有するか否かにかかわらず、当該注出筒の先端開口を閉じることができる。
【０００９】
また、再利用栓を設けた把手部が当該再利用栓を注出筒の先端開口から着脱させるときの操作片としても機能するため、リキャップの際には、把手部を介して再利用栓を押し下げるだけで、注出筒の先端開口を閉じることができ、また、注出の際には、栓体を介して把手部を引き上げるだけで、当該再利用栓を注出筒の先端開口から外すことができる。このため、本発明によれば、再利用栓を容易に着脱させることができる。
【００１０】
従って、本発明によれば、注出筒が予め保形性を有するか否かにかかわらず、様々な構成の注出筒に適用させることができ、しかも、その着脱が容易な再利用栓を備える薄肉注出容器を提供することができる。
【００１１】
加えて、本発明によれば、把手部に再利用栓を設けたことで、当該把手部が把持し易くなることから、注出筒からの分離に有効である。
【００１２】
また、本発明では、容器本体に、この容器本体を側面から見たときの当該容器本体の稜線に沿って補強部を延在させれば、容器本体が潰れ難く、保形性が高まるため、栓体の分離は勿論、再利用栓の着脱が更に容易になる。特に、当該補強部に補助把手部を設ければ、注出筒からの分離が一層容易になる。
【発明を実施するための最良の形態】
【００１３】
図１及び図２はそれぞれ、本発明の第一の形態であるブロー成形スタンディング薄肉容器（以下、「薄肉容器」という）１を示す側面図及び平面図である。また、図３は、同形態に係る再利用栓６の着脱動作を説明する平面図である。
【００１４】
符号２は、薄肉の合成樹脂からなる容器本体２である。容器本体２は、その一部として胴部２ａを有し、この胴部２ａの内側に内容物を充填する内部空間Ｒが形成されている。
【００１５】
符号２ｂは、胴部２ａから突出して当該胴部２aの内側に形成された内部空間Ｒに通じる通路Ｐを形成する注出筒である。
【００１６】
符号３は、注出筒２ｂに形成された通路Ｐを封止する栓体である。栓体３は、図１に示すように、破断予定線４を介して分離可能に一体に連結されている。破断予定線４は、例えば、注出筒２ｂ及び栓体３よりも薄肉に構成することで、外力を付加することで切断することができる。これにより、注出筒２ｂから栓体３を分離させると、図３に示すように、注出筒２ｂの先端に、通路Ｐを介して内部空間Ｒを外界に通じさせる開口（以下、「先端開口」という）２ｃが形成される。
【００１７】
符号５は、栓体３に一体に繋がる板状の把手部である。把手部５は、破断予定線４から栓体３を分離させるに際して用いられる。
【００１８】
符号６は、把手部５の平坦面５ｆ1に形成された再利用栓である。再利用栓６は、図３に示すように、平坦面５ｆ1から膨出する本体６ａと、この本体６ａの外周面に環状に形成されたシール部６ｂとを有し、先端開口２ｃから着脱可能に差し込むことができる。
【００１９】
栓体３を分離して開封後、リキャップするときには、図３に示すように、再利用栓６を先端開口２ｃに向ければ、把手部５が再利用栓６に対して上側になる。このため、使用者は、板状の接触面積の広い把手部５の平坦面ｆ2を介して再利用栓６を押し込むことで、当該再利用栓６を先端開口２ｃに差し込むことができる。
【００２０】
即ち、本形態によれば、注出筒２ｂから分離した栓体３を用いることで先端開口２ｃを閉じることができる。
【００２１】
再利用栓６でキャップした後、再度、内容物の注出を行うときには、栓体３又は把手部５を持って把手部５を介して引き上げれば、先端開口２ｃから再利用栓６を引き抜くことができる。これにより、内容物の注出が可能になる。
【００２２】
即ち、本形態によれば、注出筒２ｂから分離した栓体３を用いることで先端開口２ｃを繰り返し、封止・開放させることができる。
【００２３】
また、符号７は、図３に示すように、容器本体２に、この容器本体２を側面から見たときの当該容器本体２の軸線Ｏに沿った稜線に沿って連続的に延在させた補強部である。本形態に係る補強部７は、Ｘ−Ｘ断面に示すように、その内側に空気層７ｒが形成されたチューブ状のエアフレーム７ａと、エアフレーム７ａを容器本体２に連結する薄肉の連結部７ｂとで構成されている。
【００２４】
補強部７を設ければ、薄肉の胴部２ａに対して一定の剛性（強度）が得られることで、当該胴部２ａを把持したときに変形し難くなる。このため、補強部７を設けることで、内容物が注ぎ易くなる。また、補強部７は、把手部５と共に協働する補助把手部としても機能させることができる。
【００２５】
なお、エアフレーム７ａは、円形断面に限定されることなく、四角形断面、三角形断面（これらの頂点又は辺を連結部７ｂに対して連結可能）等の様々な断面形状のものを適用させることができる。
【００２６】
符号８は、補強部７のうちの、注出筒２ｂの直近に設けられた補助把手部である。上述の如く、補強部７は、当該補強部７そのものを補助把手部として機能させることができるが、本形態では、補助把手部８を独立させている。本形態に係る補助把手部８は、エアフレーム７ａで取り囲まれた開口Ａを有し、栓体３に設けられた把手部５と共に、当該栓体３を分離するために把持される。
【００２７】
本形態の如く、容器本体２に、この容器本体３を側面から見たときの当該容器本体３の稜線に沿って補強部７を延在させれば、容器本体２が潰れ難く、保形性が高まるため、栓体３の分離は勿論、再利用栓６の着脱が更に容易になる。特に、補強部７に補助把手部８を設ければ、注出筒２ｂからの分離が一層容易になる。
【００２８】
なお、本形態に係る容器本体２の胴部２ａは、その横断面形状が、図２に示すように、短手側となる２つの表面と、長手側となる２つの表面とを有する扁平な形状をし、補強部７は、同図に示すように、短手側表面に形成されている。但し、発明に従えば、容器本体２の横断面形状は、円形、正多角形等、様々な形状を採用できる。
【００２９】
また、図１の破線で示す符号Ｓは、内容物を充填後の充填口をシールしたシール面である。内容物を充填するときには、容器本体２の下端２ｅから充填口が突出するため、容器本体２を上下逆さまにした状態で内容物の充填を行った後、当該充填口に対してホットシール等を行うことでシール部Ｓを形成する。シール部Ｓは、図１に示すように、容器本体２の下端２ｅに押し込むことで、下端２ｅを接地部として薄肉容器１を起立させることができる。
【００３０】
更に、本形態では、注出筒２ｂと補助把手部８との間まで、連結部７ｂを延在させ、この連結部７ｂに破断予定線９を介して把手部５を分離可能に連結している。これにより、栓体３を注出筒２ｂに対してより確実に固定することができる。なお、破断予定線９は任意であり、栓体３及び把手部５の少なくとも一方を注出筒２ｂから離間させることもできる。このため、補強部７は、把手部５から離間させることもできる。
【００３１】
図４は、本発明の第二の形態である、図１の薄肉容器１の変形例を示す側面図である。なお、以下の説明において、図１〜３と同一部分は、同一符号をもって、その説明を省略する。
【００３２】
本形態では、エアフレーム７ａの間に薄肉の連結部７ｂを介在させることで、エアフレーム７ａを断続的に延在させている。更に、胴部２ａには、連結部７ｂと整列する窪み２ｄが形成される。これにより、本形態では、エアフレーム７ａの相互間に介在する連結部７ｂ及び窪み２ｄを基点に折り畳んで廃棄することができる。
【００３３】
更に図５は、本発明の第三の形態である、上記の薄肉容器１の変形例を示す側面図である。本形態の説明についても、他の形態と同一部分は、同一符号をもって、その説明を省略する。
【００３４】
本形態では、補強部７に更に注出用把手部１０を設けている。この場合、内容物が注ぎ易くなる。また、注出用把手部１０は、補助把手部８を省略することで、注出用把手部１０を補助把手として機能させることもできる。
【００３５】
上述したように、本発明によれば、栓体３を注出筒２ｂから分離する際に用いる把手部５に、注出筒２ｂの先端開口２ｃから着脱可能に差し込まれる再利用栓６を設けたことから、注出筒２ｂが予め保形性を有するか否かにかかわらず、その先端開口２ｃを閉じることができる。
【００３６】
また、再利用栓６を設けた把手部５が当該再利用栓６を先端開口２ｃから着脱させるときの操作片としても機能するため、リキャップの際には、把手部５を介して再利用栓６を押し下げるだけで、先端開口２ｃを閉じることができ、また、注出の際には、栓体３を介して把手部５を引き上げるだけで、再利用栓６を先端開口２ｃから外すことができる。このため、本発明によれば、再利用栓６を容易に着脱させることができる。
【００３７】
従って、本発明によれば、注出筒２ｂが予め保形性を有するか否かにかかわらず、様々な構成の注出筒２ｂに適用させることができ、しかも、その着脱が容易な再利用栓６を備える薄肉容器１を提供することができる。
【００３８】
加えて、本発明によれば、把手部５に再利用栓６を設けたことで、当該把手部５が把持し易くなることから、注出筒２ｂからの分離に有効である。
【００３９】
上述したところは、本発明の一形態を示したものに過ぎず、薄肉注出容器の用途に応じて様々に設計変更することができる。例えば、補強部７は、連結部７ｂを省略することで、エアフレーム７ａそのものを補強部として構成することができる。エアフレーム７ａは、中実のフレームに置き換えることもできる。更に、補強部７は、フレームと連結部とで構成することなく、単なる肉厚な部位として構成することもできる。
【００４０】
また、容器本体２としては、薄肉のブロー成形容器ではなく、合成樹脂製のフィルムからなるパウチ容器を採用することもできる。なお、パウチ容器の場合には、スパウト付きであるか否かは問わない。加えて、各形態に採用された各構成はそれぞれ、互いに適宜組み合わせることができる。
【産業上の利用可能性】
【００４１】
シャンプーやリンス、液体石鹸、化粧料等の内容物を入れておく据え置きタイプの容器としては勿論のこと、内容物を詰め替えるために用いられる容器にも適用させることができる。
【図面の簡単な説明】
【００４２】
【図１】本発明の第一の形態であるブロー成形スタンディング薄肉容器を示す側面図である。
【図２】同形態を示す平面図である。
【図３】同形態に係る再利用栓の着脱動作を説明する側面図である。
【図４】本発明の第二の形態である、他の薄肉容器を示す側面図である。
【図５】本発明の第三の形態である、更に他の薄肉容器を示す側面図である。
【符号の説明】
【００４３】
１  ブロー成形スタンディング薄肉容器
２  容器本体
2a  胴部
2b  注出筒
2c  注出栓の先端開口
３  栓体
４  破断予定線
５  把手部
６  再利用栓
6a  再利用栓本体
6b  再利用栓シール部
７  補強部
7a  エアフレーム
7b  薄肉の連結部
８  補助把手部
10  注出用把手部
【図１】
2010105706.tif 000003
【図２】
2010105706.tif 000004
【図３】
2010105706.tif 000005
【図４】
2010105706.tif 000006
【図５】
2010105706.tif 000007